(57)【特許請求の範囲】
【請求項１】
液体を格納する液体容器の内部に配置される滅菌部材であって、
細菌を低減する効果を有する金属の微粒子が樹脂中に分散し、
前記微粒子は前記滅菌部材の表面に露出しないように構成されており、
前記液体容器の内部の特定の位置において問題となると想定される細菌の種類に応じて、前記金属の種類が規定されており、
前記液体容器の前記特定の位置は、相対的に上側に位置する上側部と、相対的に下側に位置する下側部を含み、
前記上側部において問題となると想定される細菌は好気性細菌であり、前記下側部において問題となると想定される細菌は嫌気性細菌であり、
前記滅菌部材は、前記上側部においては、前記好気性細菌を効果的に低減させる性質を有する前記金属の微粒子の含有量が大きくなるように規定され、前記下側部においては、前記嫌気性細菌を効果的に低減させる性質を有する前記金属の微粒子の含有量が大きくなるように構成されている、滅菌部材。
【請求項２】
前記滅菌部材は、少なくとも一つの部材から構成され、上方に対して下方に位置する部分または前記部材は、前記好気性細菌を効果的に低減させる性質を有する前記金属の微粒子の含有量の割合が相対的に小さく、前記嫌気性細菌を効果的に低減させる性質を有する前記金属の微粒子の含有量の割合が相対的に大きくなるように構成されている、
請求項１に記載の滅菌部材。
【請求項３】
前記滅菌部材において、前記金属の微粒子は、前記液体と接する面とは反対側の位置に対して、前記液体と接する面の側の位置において、より多く含有されている、
請求項１または請求項２に記載の滅菌部材。
【請求項４】
前記滅菌部材は、液体状の前記液体を格納する前記液体容器から、前記液体を吸引するための吸引チューブであって、
前記吸引チューブの一部または全体が滅菌部として構成されている、
請求項１乃至請求項３のいずれかに記載の滅菌部材。
【請求項５】
前記吸引チューブは、前記吸引チューブの貫通孔の周壁を構成する壁本体と、前記壁本体を覆う表層部から構成され、
前記表層部が、前記滅菌部として構成されている、
請求項４に記載の滅菌部材。
【請求項６】
前記滅菌部材は、液体状の前記液体を格納する容器を有する前記液体容器から、前記液体を吸引するための吸引チューブの下端部または前記下端部の近傍に前記吸引チューブの貫通孔を塞がない態様において固定される固定部材であって、
前記固定部材の一部または全体が滅菌部として構成されている、
請求項１乃至請求項３のいずれかに記載の滅菌部材。
【請求項７】
前記固定部材は、本体部と、前記本体部を覆う表層部から構成され、
前記表層部が、前記滅菌部として構成されている、
請求項６に記載の滅菌部材。
【請求項８】
液体を格納する液体容器の内部に配置される滅菌部材であって、
細菌を低減する効果を有する金属の微粒子が樹脂中に分散し、
前記微粒子は前記滅菌部材の表面に露出しないように構成されており、
前記液体容器の内部の特定の位置において問題となると想定される細菌の種類に応じて、前記金属の種類が規定されており、
前記滅菌部材は、固定されない状態において前記液体容器の内部に配置される非固定部材であって、
前記非固定部材の一部または全体が滅菌部として構成されており、
前記非固定部材は、複数種類の前記非固定部材を含む部材群を構成し、
第一の種類の前記非固定部材、第二の種類の前記非固定部材、及び、第三の種類の前記非固定部材は、いずれも、好気性細菌を効果的に低減させる性質を有する前記金属の微粒子及び嫌気性細菌を効果的に低減させる性質を有する前記金属の微粒子を含み、
前記第一の種類の前記非固定部材は、前記液体よりも比重が小さく、かつ、好気性細菌を効果的に低減させる性質を有する前記金属の微粒子の含有量が嫌気性細菌を効果的に低減させる性質を有する前記金属の微粒子の含有量よりも大きくなるように構成され、
前記第二の種類の前記非固定部材は、前記液体と実質的に比重が同一であり、かつ、前記好気性細菌を効果的に低減させる性質を有する前記金属の微粒子の含有量が前記嫌気性細菌を効果的に低減させる性質を有する前記金属の微粒子の含有量と実質的に同一になるように構成され、
前記第三の種類の前記非固定部材は、前記液体よりも比重が大きく、かつ、前記好気性細菌を効果的に低減させる性質を有する前記金属の微粒子の含有量が前記嫌気性細菌を効果的に低減させる性質を有する前記金属の微粒子の含有量よりも小さくなるように構成されている、
滅菌部材。
【請求項９】
液体を格納する液体容器の内部に配置される滅菌部材であって、
細菌を低減する効果を有する金属の微粒子が樹脂中に分散し、
前記微粒子は前記滅菌部材の表面に露出しないように構成されており、
前記液体容器の内部の特定の位置において問題となると想定される細菌の種類に応じて、前記金属の種類が規定されており、
前記滅菌部材は、固定されない状態において前記液体容器の内部に配置される非固定部材であって、
前記非固定部材の一部または全体が滅菌部として構成されており、
前記非固定部材は、複数種類の前記非固定部材を含む部材群を構成し、
前記液体の比重に対して、小さな比重を有する前記非固定部材ほど、好気性細菌を効果的に低減させる性質を有する前記金属の微粒子の含有量が嫌気性細菌を効果的に低減させる性質を有する前記金属の微粒子の含有量よりも大きくなるように構成されており、
前記液体の比重に対して、大きな比重を有する前記非固定部材ほど、嫌気性細菌を効果的に低減させる性質を有する前記金属の微粒子の含有量が好気性細菌を効果的に低減させる性質を有する前記金属の微粒子の含有量よりも大きくなるように構成されている、
滅菌部材。
【発明の詳細な説明】
【技術分野】
【０００１】
本発明は液体中の細菌を低減するための滅菌部材に関する。
【背景技術】
【０００２】
液体容器として、内部に格納した液体の品質を維持しつつ、保存できることが重要である。【０００３】
このため、液体に、防腐剤（パラペン等）や、防腐効果を有するフェノキシエタノールなどの添加物が添加される場合がある。しかし、防腐剤や添加物は使用しない方が好ましい。これに対して、１回の使用量を充填するに足る容量の小さな容器に液体を充填する技術が提案されている（例えば、特許文献１）。特許文献１において、液体は、化粧品である。
【先行技術文献】
【特許文献】
【０００４】
【特許文献１】特許第４６２７５６２号公報
【発明の概要】
【発明が解決しようとする課題】
【０００５】
１回の使用量が微量である場合には、１回の使用量を充填するに足る容量の小さな容器に液体を充填すると、多数の容器を必要とする。また、１回の使用量は、異なる人において異なる場合があり、また、同一人物であっても、状況に応じて異なる場合があるから、容器中の液体の量に過不足が生じ、結局、液体が無駄になる場合がある。【０００６】
本発明は、上記を踏まえて、液体中の細菌を低減することができる滅菌部材を提供するものである。
【課題を解決するための手段】
【０００７】
第一の発明は、液体を格納する液体容器の内部に配置される滅菌部材であって、細菌を低減する効果を有する金属の微粒子が樹脂中に分散し、前記微粒子は前記滅菌部材の表面に露出しないように構成されており、前記液体容器の内部の特定の位置において問題となると想定される細菌の種類に応じて、前記金属の種類が規定されている、滅菌部材である。【０００８】
第一の発明の構成によれば、液体容器の内部に配置される滅菌部材は、細菌を低減する効果を有する金属の微粒子が樹脂中に分散されて構成されているから、細菌低減効果を奏する。また、微粒子は滅菌部材の表面に露出しないように構成されているから、金属と液体の成分が化学反応を起こし、液体が変性することはない。なお、後述のように、金属が直接的に液体に接しない場合であっても、細菌を低減することができることは、実験によって確認されている。さらに、本発明の発明者は、金属の種類によって、効果的に低減させることができる細菌の種類が異なることを見出した。本発明の発明者は、例えば、好気性細菌を効果的に低減させることができる金属と、嫌気性細菌を効果的に低減させることができる金属が存在することを見出した。そして、本発明の発明者は、液体容器の内部の特定の位置において問題となると想定される細菌の種類に応じて、その低減に効果的な金属の種類を決定し、決定した金属の微粒子を滅菌部に分散させる技術（以下、「選択分散」と呼ぶ）に想到した。この点、第一の発明の構成によれば、内部の各位置において問題となると想定される細菌の種類に応じて、滅菌部材を構成する金属の種類が規定されているから、選択分散を実現することができる。【０００９】
第二の発明は、第一の発明の構成において、前記滅菌部材は、複数種類の前記金属の微粒子を含み、前記滅菌部材が配置される前記特定の位置において問題となると想定される細菌の種類に応じて、前記金属の微粒子の全含有量に対する各前記金属の微粒子の含有量が規定される、滅菌部材である。【００１０】
液体容器の内部の特定の位置において問題となると想定される細菌の種類は、１種類とは限らない。本発明の発明者は、内部の特定の位置において、問題となると想定される細菌は、一種類に限定されず、また、その特定の位置によって、相対的に多く存在し得る細菌の種類が異なることを見出した。例えば、液体容器の内部のいずれの位置においても、好気性細菌と嫌気性細菌が問題となり得るが、上方においては好気性細菌が嫌気性細菌よりも多く、下方においては嫌気性細菌が好気性細菌よりも多いと想定される。そして、特定の位置において問題となると想定される複数種類の細菌に応じて、それぞれの細菌を効果的に低減させるために、複数種類の金属の微粒子を配合して滅菌部に分散させる技術（以下、「荷重分散」と呼ぶ。）に想到した。この点、第二の発明の構成によれば、滅菌部材は、複数種類の金属の微粒子を含み、液体容器の内部の特定の位置において問題となると想定される細菌の種類に応じて、各金属の微粒子の含有量が規定されているから、荷重分散を実現することができる。なお、荷重分散は、選択分散の下位概念の技術である。【００１１】
第三の発明は、第一の発明または第二の発明の構成において、前記液体容器の前記特定の位置は、相対的に上側に位置する上側部と、相対的に下側に位置する下側部を含み、前記上側部において問題となると想定される細菌は好気性細菌であり、前記下側部において問題となると想定される細菌は嫌気性細菌であり、前記滅菌部材は、前記上側部においては、前記好気性細菌を効果的に低減させる性質を有する前記金属の微粒子の含有量が大きくなるように規定され、前記下側部においては、前記嫌気性細菌を効果的に低減させる性質を有する前記金属の微粒子の含有量が大きくなるように構成されている、滅菌部材である。【００１２】
第三の発明の構成によれば、液体容器の内部の各位置において、問題となる可能性が相対的に高いと想定される細菌の種類に応じて、金属の種類を決定し、その金属の微粒子の含有量を大きくすることによって、各位置において問題となる可能性が相対的に高いと想定される細菌を効果的に低減することができる。【００１３】
第四の発明は、第三の発明の構成において、前記滅菌部材は、少なくとも一つの部材から構成され、上方に対して下方に位置する部分または前記部材は、前記好気性細菌を効果的に低減させる性質を有する前記金属の微粒子の含有量の割合が相対的に小さく、前記嫌気性細菌を効果的に低減させる性質を有する前記金属の微粒子の含有量の割合が相対的に大きくなるように構成されている、滅菌部材である。【００１４】
容器本体に液体を格納した状態において、容器本体の上方ほど、好気性細菌が問題となる可能性が高く、容器本体の下方ほど、嫌気性細菌が問題となる可能性が高い。この点、第四の発明の構成によれば、好気性細菌と嫌気性細菌が問題となる可能性に応じて、効果的に細菌を低減することができる金属の微粒子の含有量を規定するから、各位置において効果的に細菌を低減することができる。【００１５】
第五の発明は、第一の発明乃至第四の発明のいずれかの構成において、前記滅菌部材において、前記金属の微粒子は、前記液体と接する面とは反対側の位置に対して、前記液体と接する面の側の位置において、より多く含有されている、滅菌部材である。【００１６】
金属微粒子を液体と接する面に近接して分散させるほど、細菌の低減効果が大きい。この点、第五の発明の構成によれば、金属の微粒子は、滅菌部の液体と接する面に近い位置ほど、含有量が多くなるように構成されているから、効果的に細菌を低減することができる。【００１７】
第六の発明は、第一の発明乃至第五の発明のいずれかの構成において、前記滅菌部材は、液体状の前記液体を格納する前記液体容器から、前記液体を吸引するための吸引チューブであって、
前記吸引チューブの一部または全体が滅菌部として構成されている、滅菌部材である。【００１８】
第六の発明の構成によれば、吸引チューブの一部または全体が滅菌部として構成されている。吸引チューブは、液体中に位置し、液体に接する。そして、液体は必ず吸引チューブを通って外部に出る。すなわち、吸引チューブを滅菌部として構成することによって、液体中の細菌を確実に低減することができる。【００１９】
第七の発明は、第六の発明の構成において、前記吸引チューブは、前記吸引チューブの貫通孔の周壁を構成する壁本体と、前記壁本体を覆う表層部から構成され、
前記表層部が、前記滅菌部として構成されている、滅菌部材である。【００２０】
第七の発明の構成によれば、壁本体によって吸引チューブの機械的強度を確保できるから、表層部は機械的強度の確保のために厚くする必要はなく、細菌を低減するために有効な厚さに形成することができる。【００２１】
第八の発明は、第一の発明乃至第五の発明のいずれかの構成において、前記滅菌部材は、液体状の前記液体を格納する容器を有する前記液体容器から、前記液体を吸引するための吸引チューブの下端部または前記下端部の近傍に前記吸引チューブの貫通孔を塞がない態様において固定される固定部材であって、
前記固定部材の一部または全体が滅菌部として構成されている、滅菌部材である。【００２２】
吸引チューブは液体容器に固定されており、下方の先端開口部は液体容器内部の底面近傍に位置するから、吸引チューブによって液体容器から液体を吸引するときに、液体容器内部の下方部から液体を吸引することになる。また、液体容器内部の液体の量が減少した場合には、液体は液体容器内部の底面近傍のみに位置する。この点、第八の発明の構成によれば、液体容器に格納されている液体の量に関わらず、固定部材によって液体中の細菌を低減することができる。【００２３】
第九の発明は、第八の発明の構成において、前記固定部材は、本体部と、前記本体部を覆う表層部から構成され、前記表層部が、前記滅菌部として構成されている、滅菌部材である。【００２４】
第九の発明の構成によれば、本体部によって固定部材の機械的強度を確保できるから、表層部は機械的強度の確保のために厚くする必要はなく、細菌を低減するために有効な厚さに形成することができる。【００２５】
第十の発明は、第一の発明または第二の発明の構成において、前記滅菌部材は、固定されない状態において前記液体容器の内部に配置される非固定部材であって、前記非固定部材の一部または全体が滅菌部として構成されている、滅菌部材である。【００２６】
第十の発明の構成によれば、滅菌部材は非固定部材であるから、液体の多くの部分に接して細菌を低減することができる。【００２７】
第十一の発明は、第十の発明の構成において、前記非固定部材は、中心部と、前記中心部を覆う外層部から構成され、前記外層部が、前記滅菌部として構成されている、滅菌部材である。【００２８】
第十一の発明の構成によれば、中心部によって非固定部材の機械的強度を確保できるから、外層部は機械的強度の確保のために厚くする必要はなく、細菌を低減するために有効な厚さに形成することができる。【００２９】
第十二の発明は、第十の発明または第十一の発明の構成において、前記非固定部材は、複数種類の前記非固定部材を含む部材群を構成し、第一の種類の前記非固定部材、第二の種類の前記非固定部材、及び、第三の種類の前記非固定部材は、いずれも、好気性細菌を効果的に低減させる性質を有する前記金属の微粒子及び嫌気性細菌を効果的に低減させる性質を有する前記金属の微粒子を含み、前記第一の種類の前記非固定部材は、前記液体よりも比重が小さく、かつ、好気性細菌を効果的に低減させる性質を有する前記金属の微粒子の含有量が嫌気性細菌を効果的に低減させる性質を有する前記金属の微粒子の含有量よりも大きくなるように構成され、前記第二の種類の前記非固定部材は、前記液体と実質的に比重が同一であり、かつ、前記好気性細菌を効果的に低減させる性質を有する前記金属の微粒子の含有量が前記嫌気性細菌を効果的に低減させる性質を有する前記金属の微粒子の含有量と実質的に同一になるように構成され、前記第三の種類の前記非固定部材は、前記液体よりも比重が大きく、かつ、前記好気性細菌を効果的に低減させる性質を有する前記金属の微粒子の含有量が前記嫌気性細菌を効果的に低減させる性質を有する前記金属の微粒子の含有量よりも小さくなるように構成されている、滅菌部材である。【００３０】
第十二の発明の構成によれば、第一の種類の非固定部材は、液体の表面に浮かぶから、液体の表面近傍の好気性細菌を効果的に低減することができる。第二の種類の非固定部材は、液体中に位置し、好気性細菌と嫌気性細菌の双方を効果的に低減することができる。第三の種類の非固定部材は、液体容器の底部に沈むから、液体容器の底部近傍の嫌気性細菌を効果的に低減することができる。【００３１】
第十三の発明は、第十の発明または第十一の発明の構成において、前記非固定部材は、複数種類の前記非固定部材を含む部材群を構成し、前記液体の比重に対して、小さな比重を有する前記非固定部材ほど、好気性細菌を効果的に低減させる性質を有する前記金属の微粒子の含有量が嫌気性細菌を効果的に低減させる性質を有する前記金属の微粒子の含有量よりも大きくなるように構成されており、前記液体の比重に対して、大きな比重を有する前記非固定部材ほど、嫌気性細菌を効果的に低減させる性質を有する前記金属の微粒子の含有量が好気性細菌を効果的に低減させる性質を有する前記金属の微粒子の含有量よりも大きくなるように構成されている、滅菌部材である。【００３２】
第十三の発明の構成によれば、液体よりも比重が小さい非固定部材は、液体の表面に浮かぶから、液体の表面近傍の好気性細菌を効果的に低減することができる。液体と実質的に比重が同一の非固定部材は、液体中を浮遊し、好気性細菌と嫌気性細菌の双方を効果的に低減することができる。液体よりも比重が大きい非固定部材は、液体容器の底部に沈むから、液体容器の底部近傍の嫌気性細菌を効果的に低減することができる。
【発明の効果】
【００３３】
本発明によれば、液体中の細菌を低減することができる。
【図面の簡単な説明】
【００３４】
【図１】本発明の第一の実施形態にかかる液体容器の概略側面図である。
【図２】容器本体の概略側面図である。
【図３】吸引チューブを上下方向に切断した概略断面図である。
【図４】吸引チューブを水平方向に切断した概略断面図である。
【図５】吸引チューブを水平方向に切断した概略断面図である。
【図６】吸引チューブを水平方向に切断した概略断面図である。
【図７】吸引チューブの壁部の上下方向の断面の拡大概念図である。
【図８】吸引チューブの壁部の上下方向の断面の拡大概念図である。
【図９】細菌の低減作用を示す概念図である。
【図１０】細菌の低減作用を示す概念図である。
【図１１】細菌の低減作用を示す概念図である。
【図１２】実験結果を示すグラフである。
【図１３】容器本体の組立方法を示す概略図である。
【図１４】液体容器の組立方法を示す概略図である。
【図１５】容器本体の組立方法を示す概略拡大図である。
【図１６】第二の実施形態における吸引チューブを上下方向に切断した概略断面図である。
【図１７】吸引チューブを水平方向に切断した概略断面図である。
【図１８】吸引チューブの壁部の上下方向の断面の拡大概念図である。
【図１９】吸引チューブの壁部の上下方向の断面の拡大概念図である。
【図２０】第三の実施形態における吸引チューブを上下方向に切断した概略断面図である。
【図２１】吸引チューブを水平方向に切断した概略断面図である。
【図２２】吸引チューブの壁部の上下方向の断面の拡大概念図である。
【図２３】上下方向の位置と特定の金属微粒子の含有量の関係を示す概念図である。
【図２４】第四の実施形態における吸引チューブを上下方向に切断した概略断面図である。
【図２５】吸引チューブを水平方向に切断した概略断面図である。
【図２６】吸引チューブの表層部の上下方向の断面の拡大概念図である。
【図２７】本発明の第五の実施形態にかかる吸引チューブを水平方向に切断した概略断面図である。
【図２８】本発明の第六の実施形態にかかる固定部材がチューブに固定された状態を示す概略図である。
【図２９】固定部材の概略拡大図である。
【図３０】固定部材の上下方向の概略断面図である。
【図３１】固定部材の水平方向の概略断面図である。
【図３２】固定部材の周壁部の上下方向の断面の拡大概念図である。
【図３３】固定部材の周壁部の上下方向の断面の拡大概念図である。
【図３４】本発明の第七の実施形態にかかる固定部材の周壁部の上下方向の断面の拡大概念図である。
【図３５】固定部材の周壁部の上下方向の断面の拡大概念図である。
【図３６】本発明の第八の実施形態にかかる非固定部材を示す概略斜視図である。
【図３７】非固定部材の長手方向の概略断面図である。
【図３８】非固定部材の長手方向と直交する方向の概略断面図である。
【図３９】化粧品の量が多い状態において非固定部材が容器本体に格納された状態を示す概略図である。
【図４０】化粧品の量が少ない状態において非固定部材が容器本体に格納された状態を示す概略図である。
【図４１】本発明の非固定部材の壁部の長手方向の断面の拡大概念図である。
【図４２】本発明の非固定部材の壁部の長手方向の断面の拡大概念図である。
【図４３】本発明の非固定部材の壁部の長手方向の断面の拡大概念図である。
【図４４】本発明の第九の実施形態にかかる非固定部材を示す概略斜視図である。
【図４５】非固定部材の図４４のＩＩ線概略断面図である。
【図４６】本発明の第十の実施形態にかかる非固定部材を示す概略斜視図である。
【図４７】非固定部材の図４６のＪＪ線概略断面図である。
【図４８】本発明の第十一の実施形態にかかる非固定部材を示す概略斜視図である。
【図４９】本発明の第十一の実施形態にかかる非固定部材を示す概略斜視図である。
【図５０】本発明の第十一の実施形態にかかる非固定部材を示す概略斜視図である。
【発明を実施するための形態】
【００３５】
以下、図面に基づき本発明の好適な実施形態を説明する。なお、当業者が適宜実施できる構成については説明を省略し、本発明の基本的な構成についてのみ説明する。
【００３６】
＜第一の実施形態＞
本発明の実施形態について以下図面を参照して説明する。なお本明細書で「上下方向」の表現は、図１における上下を基準として「上下方向」とする。具体的には、ポンプ部材４と硬質容器６を結ぶ方向が上下方向である。ポンプ部材４が位置する方向を上側、硬質容器６が位置する方向を下側と呼ぶ。そして、上下方向と垂直な方向を「水平方向」と呼ぶ。本発明において、「液体」は粘度を問わない。また、「液体」は、固体または気体ではない物を意味し、水、コロイド溶液、ジェル状の物質、クリーム状の物質のいずれも含む。「液体」は、具体的には、化粧液をはじめ歯磨剤、浴用剤などを含む。すなわち、本発明において、「液体」は「液体状の物質」である。
【００３７】
図１は本発明の第一の実施形態にかかる容器１００の側面図であり、図２は容器１００の容器本体１の側面図であり、図３は吸引チューブ８を上下方向に切断した概略断面図であり、図４乃至図６は吸引チューブ８を水平方向に切断した概略断面図である。図４は図３の吸引チューブ８のＡＡ線概略断面図、図５はＢＢ線概略断面図、図６はＣＣ線概略断面図である。
【００３８】
図２に示すように、容器本体１の軟質容器３に、化粧品２００が格納される。化粧品２００は液体の一例である。本実施形態においては、容器本体１に液体状の化粧品２００が格納される。容器本体１の内部に吸引チューブ８が配置される。吸引チューブ８は、円筒状の部材であり、貫通孔Ｓ１（図３参照）が形成されている。貫通孔Ｓ１を化粧品２００が通過する。容器本体１は液体容器の一例である。吸引チューブ８は、滅菌部材の一例であり、吸引チューブの一例でもある。化粧品は液体の一例である。なお、液体は、化粧品に限定されない。
【００３９】
容器本体１は、軟質容器３の開口部に、手動式のポンプ部材４を気密に接合することにより構成する。ポンプ部材４には、吸引チューブ８が接続される。すなわち、吸引チューブ８は、容器本体１から化粧品を吸引するための構成である。吸引チューブ８は、軟質容器３の底部近傍に到達し、かつ、底部に接しない長さにおいて構成される。吸引チューブ８の長さは軟質容器３の上下方向の長さによって規定される。軟質容器３の上下方向の長さは、例えば、５０ｍｍ（ミリメートル）であり、吸引チューブ８の長さは、例えば、４０ｍｍである。
【００４０】
軟質容器３は、例えば、レトルトパウチに使用される軟質の積層シートで構成し、外層にポリエステル（ＰＥＴ）、中間層にアルミ箔、内層に無延伸ポリプロピレン（ＣＰＰ）を用いて積層加工を行って製作する。本実施形態では、軟質容器３は、２枚の上下に長い積層シートの左右両端を熱溶着する。また、軟質容器３の底部分にはマチを作るため底面シートを溶着し、化粧料を封入した時点で容器本体１が自立するように構成する。
【００４１】
ポンプ部材４は、公知の手動式のポンプ機構で構成する。ポンプ部材４の部品は、例えば、ポリプロピレン（ＰＰ）等の樹脂を射出成型することにより構成する。公知のポンプ機構は、例えば、二つの逆止弁もしくは逆止弁のような機構を上下に並べ、ポンプの頭部分を押圧することで、両弁の間の液体を吐出した後、ポンプの頭部分が元の位置に戻ることで内部の液体を両弁の間に吸い上げる構成である。
【００４２】
本実施形態では使用者が押圧部１３を上から押圧することで、吐出口１２から一定量ずつ化粧品２００を外部へ吐出し、押圧部１３の内部に備えた付勢部材で押圧部１３がもとの位置に戻るときに、吸引チューブ８から軟質容器３内の液体状の化粧品２００を一定量ずつ吸引する。
【００４３】
ポンプ部材４は、軟質容器３の開口部に接着するための接続部を備える。この接続部に対して袋状の軟質容器３を熱溶着することで気密に接合する。また、この接続部には、後述する硬質容器６に対して、容器本体１を固定するためのフランジ１０を設ける。
【００４４】
図３乃至図６に示すように、吸引チューブ８は、貫通孔Ｓ１の周壁を構成する壁部８ａ及び８ｂから構成される。壁部８ａ及び８ｂは、それらの全体が細菌を低減する滅菌部として構成されている。壁部８ａの下端部近傍と壁部８ｂの上端部近傍は重複している。吸引チューブ８は、その全体が滅菌部として構成されている。上側の壁部８ａの内径は、下側の壁部８ｂの外形と同一、または、わずかに小さい。壁部８ａの内側に壁部８ｂを挿入することによって、壁部８ａと壁部８ｂを一体にすることができる。
【００４５】
壁部８ａ及び８ｂは、細菌を低減する効果を有する金属の微粒子を樹脂中に分散して形成される。微粒子は、壁部８ａ及び８ｂの表面には露出しないように構成されている。
【００４６】
容器本体１の内部の特定の位置である上側においては、主に好気性細菌が問題になる可能性が大きい。上側には壁部８ａが配置される。相対的に下側においては、主に嫌気性細菌が問題になる可能性が大きい。下側には、壁部８ｂが配置される。壁部８ａ及び８ｂにおいては、容器本体１の特定の位置において問題となると想定される細菌の種類に応じて金属の種類が規定されている。
【００４７】
壁部８ａ及び８ｂは、弾性変形自在なチューブ（管体）であり、その素材、口径、長さは限定されない。壁部８ａ及び８ｂの素材としては、例えば軟質ポリエチレン、軟質ポリプロピレン、軟質ポリウレタン、軟質シリコーン、軟質ポリエーテルエーテルケトン、軟質塩化ビニルなどの樹脂を採用することができる。
【００４８】
図３乃至図６に示すように、チューブ８は、上側においては壁部８ａで構成され、下側においては壁部８ｂで構成され、上側と下側の境界領域は壁部８ａと壁部８ｂが重複して構成されている。壁部８ａは上側部の一例であり、壁部８ｂは下側部の一例である。また、壁部８ａが配置される位置及び壁部８ｂが配置される位置は、容器本体１の内部の特定の位置の一例である。
【００４９】
図７は、図３の壁部８ａの部分Ａ１の上下方向の断面を示す拡大概念図である。図７に示すように、壁部８ａは、細菌を低減する効果を有する金属の微粒子２８Ａが樹脂２６中に分散している。微粒子２８Ａは、樹脂２６に覆われており、壁部８ａの表面に露出しないように構成されている。細菌を低減する効果を有する金属は、好気性細菌を効果的に低減することができる金属であり、例えば、銅である。本明細書において、「銅」は、銅及び酸化銅を含むものとする。
【００５０】
図８は、図３の壁部８ｂの部分Ａ２の上下方向の断面を示す拡大概念図である。図８に示すように、壁部８ｂは、細菌を低減する効果を有する金属の微粒子２８Ｂが樹脂２６中に分散している。微粒子２８Ｂは、樹脂２６に覆われており、壁部８ｂの表面に露出しないように構成されている。細菌を低減する効果を有する金属は、嫌気性細菌を効果的に低減することができる金属であり、例えば、銀である。本明細書において、「銀」は、銀及び酸化銀を含むものとする。
【００５１】
壁部８ａ及び８ｂの厚さＷ１は、微粒子２８Ａ及び２８Ｂの外形の大きさとの関係において規定される所定範囲の厚さにおいて形成されている。微粒子２８Ａ及び２８Ｂの外形の大きさとして、例えば、微粒子の粒度分布の極大値（ｄ５０）を使用する。極大値（ｄ５０）に相当する直径Ｌ１を微粒子２８の大きさとする。直径Ｌ１の定義は球相当径とする。直径Ｌ１は、例えば、レーザ回折式粒度分布測定装置を使用して測定する。なお、本実施形態とは異なり、直径Ｌ１は平均粒子径としてもよい。なお、図７及び８は概念図であるから、説明の便宜のため、単一の直径Ｌ１の微粒子２８Ａ及び２８Ｂのみを表示しているが、実際には、表層部８ｂには、極大値（ｄ５０）を直径Ｌ１とする所定の粒度分布（典型的には正規分布）の粒子群が分散している。
【００５２】
微粒子２８Ａ及び２８Ｂの直径Ｌ１は、所定範囲に規定されており、例えば、１０ナノメートル（ｎｍ）以上１００ナノメートル以下であり、望ましくは、１０ナノメートル以上８０ナノメートル以下であり、より望ましくは、１０ナノメートル以上４０ナノメートル以下であり、さらに望ましくは、１０ナノメートル以上２０ナノメートル以下である。
【００５３】
微粒子２８Ａ及び２８Ｂの形状は、例えば、球形である。ただし、外形の形状は球形に限らない。微粒子２８Ａとして、例えば、福田金属箔粉工業株式会社（京都市山科区西野山中臣町２０番地）の製造に係る「銅ナノ粒子ＳＦＣＰシリーズ」の銅粒子を使用することができる。あるいは、微粒子２８Ａとして、古河ケミカルズ株式会社（大阪府大阪市西淀川区大野三丁目７番１９６号）の製造に係る５０ナノメートル（ｎｍ）程度の一次粒子径を有する亜酸化銅粒子を使用してもよい。
【００５４】
微粒子２８Ｂとして、例えば、DOWAエレクトロニクス株式会社（東京都千代田区外神田四丁目14番１号）の製造に係る「DOWA AG Nano powders」の銀粒子を使用することができる。
【００５５】
壁部８ａ及び８ｂの厚さＷ１は、微粒子２８Ａ及び２８Ｂの直径Ｌ１よりも大きく、さらに、粒度分布における最大の粒子径の微粒子２８Ａ及び２８Ｂよりも大きい。これにより、すべての微粒子２８Ａ及び２８Ｂが確実に樹脂２６に覆われ、かつ、壁部８ａ及び８ｂにおける微粒子２８Ａ及び２８Ｂの含有量を所定範囲に確保することができる。本実施形態においては、直径Ｌ１は、例えば、５０ナノメートル（ｎｍ）である。本実施形態において、壁部２８Ａ及び２８Ｂにおける微粒子２８Ａ及びＢの合計の含有量の所定範囲は、２０重量パーセント（ｗｔ％）以上８０重量パーセント以下であり、望ましくは、４０重量パーセント（ｗｔ％）以上７５重量パーセント以下であり、さらに望ましくは、６０重量パーセント以上７５重量パーセント以下である。本実施形態においては、微粒子２８Ａ及び２９Ｂの含有量は、６５重量パーセントである。  
【００５６】
壁部８ａ及び８ｂの厚さＷ１は、上述のように、微粒子２８Ａ及び２８Ｂの外形の大きさとの関係において規定される所定範囲の厚さに形成されている。厚さＷ１が大きすぎると、壁部８ａ及び８ｂの中心近傍に位置する微粒子２８Ａ及び２８Ｂの細菌低減効果を十分に活用できない。一方、厚さＷ１が小さすぎると、細菌低減効果を奏するための微粒子２８Ａ及び２８Ｂを十分に充填することができない。このため、厚さＷ１は、微粒子２８Ａ及び２８Ｂの大きさとの関係において所定範囲に規定される。
【００５７】
本明細書において、直径Ｌ１に対する厚さＷ１の比率Ｂ（Ｗ１／Ｌ１）を「直径比率Ｂ」と呼ぶ。厚さＷ１と直径Ｌ１との関係は、直径比率Ｂの数値範囲として示される。
【００５８】
直径比率Ｂは、微粒子２８Ａ及び２８Ｂによる細菌低減効果を好適に活用できる範囲として規定する。例えば、直径Ｌ１が小さくなると、個々の微粒子２８Ａ及び２８Ｂの比表面積が大きくなり、また、多数の微粒子の集合体としての微粒子群の表面積の合計が大きくなるから、銅イオン及び銀イオンが流出するための表面積が大きくなる。このため、直径Ｌ１が小さいほど、直径比率Ｂを小さくするようにしてもよい。
【００５９】
直径比率Ｂは、例えば、１００以上１００００以下であり、望ましくは、１００以上５０００以下であり、より望ましくは、１００以上１０００以下であり、より望ましくは、１００以上５００以下である。特定の直径Ｌ１に対して、上記の数値範囲の直径比率Ｂにおいて、厚さＷ１を規定する。本実施形態において、微粒子の直径Ｌ１は５０ナノメートルであり、厚さＷ１は２０マイクロメートルであり、直径比率Ｂは４００である。
【００６０】
壁部８ａを形成する方法は、例えば、樹脂の粉末に所定量の銅の微粒子２８Ａを分散させた混合粉を準備し、射出成型によって、その混合粉を溶融及び成型することによって実施する。壁部８ｂを形成する方法は、例えば、樹脂の粉末に所定量の銀の微粒子２８Ｂを分散させた混合粉を準備し、射出成型によって、その混合粉を溶融及び成型することによって実施する。
【００６１】
容器本体１に化粧品を格納すると、図９乃至図１１の矢印Ｘ１及び矢印Ｘ２に示すように、銅の微粒子２８Ａからは銅イオンが放出され、銀の微粒子２８Ｂからは銀イオンが放出され、樹脂２６を通過し、化粧品２００と接し、化粧品２００中の細菌に作用し、細菌を低減する。
【００６２】
微粒子２８Ａ及び２８Ｂは、化粧品２００と直接的には接触していなくても、細菌を低減する作用を有する。このことは、本発明とは技術分野が異なり、構成も全く異なるが、例えば、特許第４１７５４８６号公報に記載がある。また、このことは、図１２に示す実験結果によっても確認されている。例えば、図１２は、北里大学の笹井教授の実験による実験結果である。図１２に示すように、銅の微粒子を含む樹脂で、銅の微粒子が露出していない容器において、当初約１００，０００ｃｆｕ／４ｃｍ２存在していた生菌数が、１２０分（ｍｉｎｉｕｔｅ）後には皆無になった。なお、「ｃｆｕ」は、「Ｃｏｌｏｎｙ  ｆｏｒｍｉｎｇ  ｕｎｉｔ」を意味する。
【００６３】
上述のように、吸引チューブ８の壁部８ａ及び８ｂが滅菌部として構成されている。吸引チューブ８は、化粧品２００の通路であるからその壁部８ａ及び８ｂは化粧品２００に接する。すなわち、吸引チューブ８を滅菌部として構成することによって、化粧品２００中の細菌を確実に低減することができる。
【００６４】
また、化粧品２００と接するのは樹脂２６であり、微粒子２８Ａ及び２８Ｂは化粧品２００と接しないから、化粧品２００の成分と反応することはない。すなわち、微粒子２８Ａ及び２８Ｂと化粧品２００との間に樹脂２６を配置することによって、化粧品２００を変性させることなく、細菌を低減することを可能にしている。また、化粧品２００に通常は添加される防腐剤を添加しないことができる。あるいは、添加する防腐剤の量を低減することができる。
【００６５】
＜容器本体１の組み立て方法＞
図１３乃至図１５を参照して、容器１００の組立方法を説明する。まずポンプ部材４を構成する接続部と、袋状の軟質容器３とを熱溶着により気密に接合する。次に所定量の液体状の化粧品２００を軟質容器３内に入れる。そしてポンプ部材４の壁本体に形成したねじにより、ポンプ部材４のポンプ機構を内蔵した部分を固定する。
【００６６】
軟質容器３に化粧品２００を格納すると、図１４に示すように、軟質容器３を硬質容器６の内部に配置する。図１５に示すように、硬質容器６の口縁に容器本体１のフランジ１０を配置し、固定リング９を硬質容器６にねじ止めすることで、硬質容器６に対して容器本体１を固定する。固定リング９の内径は、容器本体１のポンプ部材４の押圧部１３が通過する大きさとする。
【００６７】
容器本体１を内部に収容する硬質容器６を設けたことにより、容器本体１のみを交換することができる。よって硬質容器６を無駄に廃棄することがなくなり、化粧料の製造費用を抑えることができると共に、廃棄物を減量することができる。
【００６８】
ポンプ部材４の押圧部１３は、硬質容器６から外向きに張出して配置されているから、化粧品を排出するごとに硬質容器６から容器本体１を取り出す必要がない。
【００６９】
化粧品２００を使い切ると、使用者は化粧品２００が格納された容器本体１のみを購入する。この場合、硬質容器６がないので、使用者は、より安価に化粧品２００を購入することができる。購入後使用者は、固定リング９を外して、化粧品２００が入っていない容器本体１を抜き取り、購入した容器本体１を硬質容器６内に入れ、固定リング９により固定する。こうすることで、高価な硬質容器６については再利用することができ、廃棄物を少なくすることができる。
【００７０】
本発明の発明者は、金属の種類によって、効果的に低減することができる細菌の種類が異なることを見出した。具体的には、好気性細菌を効果的に低減することができる金属の種類と、嫌気性細菌を効果的に低減することができる金属の種類が異なることを見出した。そして、本発明の発明者は、細菌の種類に応じて、その低減に効果的な金属の種類を決定し、その金属の微粒子を滅菌部に分散させる技術（「選択分散」）に想到した。銅と銀については、銅は好気性細菌を効果的に低減することができ、銀は嫌気性細菌を効果的に低減することができる。なお、細菌の種類は、好気性細菌と嫌気性細菌に限定されず、細菌の種類に応じた金属の種類も、好気性細菌を効果的に低減する金属と嫌気性細菌を効果的に低減する金属に限定されない。例えば、好気性細菌及び嫌気性細菌の他に、微好気性細菌や通性嫌気性細菌が存在するから、それらを効果的に低減する金属を滅菌部材に適用してもよい。また、細菌の種類は、酸素との関係における規定に限定されない。
【００７１】
容器１００に化粧品２００を格納した場合において、容器本体１における上側の部分は、空気と接し易いから、主に好気性細菌が問題になると想定される。これに対して、容器本体１における下方の部分は、空気と接しにくいから、主に嫌気性細菌が問題になると想定される。
【００７２】
好気性細菌は、例えば、カビ、緑膿菌、法線菌、枯草菌である。嫌気性細菌は、例えば、ウェルシュ菌やボツリマス菌である。本実施形態において、上側部８ａには、好気性細菌を効果的に低減することができる銅の微粒子が分散され、下側部８ｂには、嫌気性細菌を効果的に低減することができる銀の微粒子が分散されている。これにより、容器１００の容器本体１における上下方向の位置に応じて、問題になることが想定される細菌を効果的に低減することができる。
【００７３】
樹脂中に分散させる金属の微粒子において、比表面積が重要である。実際の製造における取り扱いの容易性を考慮しない場合には、粒子径が小さいほど比表面積が大きいから、細菌の低減の間において望ましい。基準となる粒子径における細菌の低減効果を基準効果とすると、粒子径を小さいものに変更する場合には、粒子の総量を低減しても基準効果を達成することができる。例えば、基準となる粒子径を粒子径φ１とし、それよりも小さい粒子径を粒子径φ２とする。樹脂の単位重量当たりの粒子径φ１の金属粒子の含有量を含有量Ｗｇ１とし、基準効果を達成できるとする。そうすると、粒子径φ２の金属粒子に変更すると、含有量Ｗｇ１よりも少ない含有量である含有量Ｗｇ２によって、基準効果を達成することができる。
【００７４】
＜第二の実施形態＞
次に、図１６乃至図１９を参照して、第二の実施形態について説明する。第一の実施形態と共通する事項は説明を省略し、異なる部分を中心に説明する。
【００７５】
第二の実施形態においては、図１６及び図１７に示すように、吸引チューブ８Ａは、壁本体８Ａａと、壁本体８Ａａを覆う表層部８Ａｂ１及び８Ａｂ２から構成される。壁本体８Ａａは非滅菌部として構成されており、表層部８Ａｂ１及び８Ａｂ２が滅菌部として構成されている。すなわち、吸引チューブ８Ａの一部が滅菌部として構成されている。表層部８Ａｂ１は吸引チューブ８Ａの外面を構成し、表層部８Ａｂ２は吸引チューブ８Ａの内面を構成する。表層部８Ａｂ１と８Ａｂ２を総称して表層部８Ａｂと呼ぶ。表層部８Ａｂ１及び８Ａｂ２が存在する位置は、それぞれ、容器本体１の内部の特定の位置の一例である。
【００７６】
壁本体８Ａａは、弾性変形自在なチューブ（管体）であり、その素材、口径、長さは限定されない。壁本体８ａの素材としては、例えば軟質ポリエチレン、軟質ポリプロピレン、軟質ポリウレタン、軟質シリコーン、軟質ポリエーテルエーテルケトン、軟質塩化ビニルなどの樹脂を採用することができる。
【００７７】
表層部８Ａｂは、細菌を低減する効果を有する金属を樹脂中に分散して形成される。壁本体８Ａａを構成する樹脂と、表層部８Ａｂを構成する樹脂は、同一種類の樹脂であってもよいが、異なる種類の樹脂であってもよい。
【００７８】
壁本体８Ａａと表層部８Ａｂは一体に形成される。一体に形成するために、押出成形であれば、共押出し成形法を採用する。射出成型であれば、インサート成形、インモールド成形、あるいは、二色成形などの成形方法を使用する。表層部８Ａｂは、シランカップリング材など適宜のカップリング材、その他、必要に応じて添加剤を加えて成形される。
【００７９】
壁本体８Ａａは、吸引チューブ８Ａの機械的強度を確保するための所定の厚さに形成される。所定の厚さは、例えば、０．３ミリメートル（ｍｍ）乃至２．０ミリメートル（ｍｍ）である。吸引チューブ８の内径、すなわち、貫通孔Ｓ１の直径は、例えば、３．０ミリメートル（ｍｍ）乃至８．０ミリメートル（ｍｍ）である。
【００８０】
壁本体８Ａａによって、吸引チューブ８Ａの機械的強度が確保されるから、表層部８Ａｂは、細菌を低減するために好適な厚さに形成される。
【００８１】
図１８は、図１６の表層部８Ａｂ１の部分Ａ３の上下方向の断面を示す拡大概念図である。図１９は、図１６の表層部８Ａｂ２の部分Ａ４の上下方向の断面を示す拡大概念図である。図１８及び図１９に示すように、表層部８Ａｂ１及び８Ａｂ２は、細菌を低減する効果を有する金属の微粒子２８Ａ及び２８Ｂが樹脂２６中に分散している。微粒子２８Ａ及び２８Ｂは樹脂２６に覆われており、表層部８Ａｂ１及び８Ａｂ２の表面に露出しない。吸引チューブ８Ａの外面側の表層部８Ａｂ１と内面側の表層部８Ａｂ２は、共に、樹脂に複数種類の金属が分散されて構成される。表層部８Ａｂ１と８Ａｂ２とは、各金属の微粒子の含有量が異なる。
【００８２】
複数種類の金属は、本実施形態においては銅と銀である。表層部８Ａｂ１と８Ａｂ２は、共に、銅の微粒子と銀の微粒子を含むが、すべての金属微粒子の含有量に対する銅の微粒子の含有量の割合Ｘｃｕと、すべての金属微粒子の含有量に対する銀の微粒子の含有量の割合Ｘａｇが異なる。本実施形態においては、第一の実施形態と同様に、銅の微粒子のび粒度分布と銀の微粒子の粒度分布は実質的に同一である。このため、含有量として、樹脂の単位重量当たりについての、それぞれ、銅の微粒子の重量及び銀の微粒子の重量を使用する。すなわち、銅の微粒子の割合Ｘｃｕは、割合Ｘｃｕ＝（Ｃｕの重量）／（Ａｕ及びＣｕの重量）であり、銀の粒子の割合Ｘａｇは、割合Ｘａｇ＝（Ａｇの重量）／（Ａｕ及びＣｕの重量）である。なお、銅と銀とでは比重が異なるから、本実施態様とは異なり、比重を踏まえて銅と銀の含有量を規定してもよい。例えば、銅の比重を８．５ｇ／ｃｍ３、銀の比重を１０．５ｇ／ｃｍ３とすれば、８．５ｇの銅と１０．５ｇの銀ですべての金属の微粒子を構成するときに、銅と銀の含有量が同一であるというようにしてもよい。
【００８３】
図１８に示すように、表層部８Ａｂ１においては、銅の微粒子２８Ａの含有量が銀の微粒子２８Ｂの含有量よりも多い。すなわち、表層部８Ａｂ１においては、すべての金属の微粒子における銅の微粒子２８Ａの含有量が相対的に多い。そして、図１９に示すように、表層部８Ａｂ２においては、銀の微粒子２８Ｂの含有量が銅の微粒子２８Ａの含有量よりも多い。すなわち、表層部８Ａｂ２においては、すべての金属の微粒子における銀の微粒子２８Ｂの含有量が相対的に多い。言い換えると、表層部８Ａｂ１における割合Ｘｃｕは、表層部８Ａｂ２における割合Ｘｃｕよりも大きい。そして、表層部８Ａｂ２における割合Ｘａｇは、表層部８Ａｂ１における割合Ｘａｇよりも大きい。なお、図１８及び図１９においては、微粒子２８Ａ及び２８Ｂの数の大小によって、含有量の大小を表現している。このことは、他の図においても同様である。
【００８４】
表層部８Ａｂ１及び８Ａｂ２を所定の割合Ｘｃｕ及びＸａｇを有するように構成する方法は、例えば、樹脂の粉末に所定量の銅の微粒子２８Ａ及び銀の微粒子２８Ｂを分散させた混合粉を準備し、射出成型によって、その混合粉を溶融及び成型することによって実施する。表層部８Ａｂ１及び８Ａｂ２の製法は、上述の方法に限定されない。例えば、表層部８Ａｂ１及び８Ａｂ２は、本実施形態とは異なり、壁本体８Ａａの内面及び外面に、樹脂に上述の金属が分散したシート（箔）を接続してもよい。また、表層部８Ａｂ１及び８Ａｂ２は、樹脂と上述の金属によってコーティング剤を生成し、壁本体８Ａａの内面及び外面に塗布してもよい。
【００８５】
容器本体１の特定の位置において問題となると想定される細菌の種類は、１種類とは限らない。本発明の発明者は、容器本体１の特定の位置において、問題となると想定される細菌は、複数種類であり、さらに、その特定の位置によって、相対的に多く存在し得る特定の細菌の種類が異なることを見出した。
【００８６】
そして、特定の位置に存在すると想定される複数種類の細菌の種類に応じて、それぞれの細菌を効果的に低減させるための金属の微粒子を混合して滅菌部に分散させる技術（「荷重分散」）に想到した。
【００８７】
本実施形態において、表層部８Ａｂ１と８Ａｂ２に対応する容器本体１の内部の位置には、共に、好気性細菌及び嫌気性細菌が問題となり得るが、表層部８Ａｂ１においては相対的に好気性細菌の問題が大きく、表層部８Ａｂ２には相対的に嫌気性細菌の問題が大きいと想定される。この点、表層部８Ａｂ１においてはすべての金属粒子の含有量に対して銅の微粒子の含有量が相対的に大きく、表層部８Ａｂ２においてはすべての金属粒子の含有量に対して銀の微粒子の含有量が相対的に大きいから、容器本体１の特定の位置に存在すると想定される複数種類の細菌に応じて、それぞれの細菌を効果的に低減することができる。
【００８８】
＜第三の実施形態＞
次に、図２０乃至図２３を参照して、第三の実施形態について説明する。第一の実施形態及び第二の実施形態と共通する事項は説明を省略し、異なる部分を中心に説明する。
【００８９】
図２０は、円筒状の吸引チューブ８Ｂを上下方向に切断した概略断面図である。図２１は、吸引チューブ８Ｂを水平方向に切断した概略断面図である。第三の実施形態の吸引チューブ８Ｂは、図２０及び２１に示すように、貫通孔Ｓ１を画する壁部８Ｂａによって構成される。壁部８Ｂａが滅菌部として構成されている。
【００９０】
壁部８Ｂａは、好気性細菌を効果的に低減させる性質を有する金属の微粒子と、嫌気性細菌を効果的に低減させる性質を有する金属の微粒子を含む。そして、壁部８Ｂａは、上方ほど、好気性細菌を効果的に低減させる性質を有する金属の微粒子の含有量が多く、下方へ向かうに連れて、好気性細菌を効果的に低減させる性質を有する金属の微粒子の含有量が低下するように構成されている。また、壁部８Ｂａは、上方から下方へ向かうに連れて、嫌気性細菌を効果的に低減させる性質を有する金属の微粒子の含有量が増加するように構成されている。
【００９１】
図２２に示すように、壁部８Ｂａを上方から下方に向かって、領域Ｓ１乃至Ｓ５に区分すると、領域Ｓ１からＳ５に向かうに連れて、銅の微粒子２８Ａの含有量が低下し、銀の微粒子２８Ｂの含有量が増加する。逆に、領域Ｓ５からＳ１に向かうに連れて、銅の微粒子２８Ａの含有量が増加し、銀の微粒子２８Ｂの含有量が低下する。
【００９２】
より詳細には、図２３に示すように、チューブ８Ｂの最も低い位置からの距離を高さ（Ｈｉｇｈｔ）と定義すると、高さが大きいほど、すべての金属粒子における銅の微粒子の含有量の割合が大きい。逆に、高さが小さいほど、すべての金属粒子における銀の微粒子の含有量の割合が大きい。チューブ８Ｂにける金属粒子の分布をこのように構成するためには、例えば、比重を利用する。例えば、射出成形において、銅の比重が銀の比重よりも小さいことを利用する。
【００９３】
容器本体１に化粧品２００を格納した状態において、容器本体１の下部に向かうほど、すべての細菌に対する好気性細菌の割合が低下し、嫌気性細菌の割合が増加すると考えられる。この点、本実施形態によれば、問題となると想定される好気性細菌と嫌気性細菌の割合に応じて、容器本体１の内部の各位置において効果的に細菌を低減することができる。
【００９４】
＜第四の実施形態＞
次に、図２４乃至図２６を参照して、第四の実施形態について説明する。第一の実施形態及び第二の実施形態と共通する事項は説明を省略し、異なる部分を中心に説明する。
【００９５】
図２４は、円筒状の吸引チューブ８Ｃを上下方向に切断した概略断面図である。図２５は、吸引チューブ８Ｃを水平方向の切断した概略断面図である。第四の実施形態の吸引チューブ８Ｃは、図２４及び２５に示すように、本体部８ａと表層部８Ｃｂ1から構成される。表層部８Ｃｂ１が滅菌部として構成されている。
【００９６】
表層部８Ｃｂ１は、金属の微粒子２８Ａ及び２８Ｂが樹脂２６に分散して構成される。図２６を参照して、表層部８Ｃｂ１について説明する。表層部８Ｃｂ１における一方の面８Ｒが化粧品に接する。金属の微粒子２８Ａ及び２８Ｂは、面８Ｒ側の位置において、反対側の面８Ｌ側の位置より多く含有されている。
【００９７】
金属微粒子を化粧品と接する面に近接して分散させるほど、細菌の低減効果が大きい。この点、本実施形態の構成によれば、金属の微粒子は、化粧品と接する面とは反対側の位置に対して、化粧品と接する面の側の位置において、より多く含有されているから、効果的に細菌を低減することができる。
【００９８】
金属微粒子を、表層部８Ｃｂ１の一方の面により多く分布させる技術は、例えば、樹脂の粉末に所定量の銅の微粒子２８Ａ及び銀の微粒子２８Ｂを分散させた混合粉を準備し、電界中または磁界中において、射出成型によって、その混合粉を溶融及び成型することによって実施する。あるいは、混合紛の配合を適宜に調整することによって実施してもよい。
【００９９】
本実施形態とは異なり、表層部８Ｃｂ１は、一種類の金属の微粒子を含むように構成してもよい。例えば、表層部８Ｃｂ１は、銅の微粒子２８Ａまたは銀の微粒子２８Ｂのいずれか一方のみを含むように構成してもよい。
【０１００】
＜第五の実施形態＞
次に、図２７を参照して、第五の実施形態について説明する。第一の実施形態乃至第四の実施形態と共通する事項は説明を省略し、異なる部分を中心に説明する。
【０１０１】
図２７は、第五の実施形態の吸引チューブ８Ｄの水平方向の概略断面図である。吸引チューブ８Ｄは、本体部８Ｄａと表層部８Ｄｂから構成される。表層部８Ｄｂの表面は、図２７に示すように、凹部及び凸部を有する凹凸面として構成されている。表層部８Ｄｂが滅菌部として構成されている。詳細には、本体部８Ｄａにおいて貫通孔Ｓ１に面する内面は凹凸部のない曲面であり、外面が凹部及び凸部を有する凹凸面として形成されている。表層部８Ｄｂは、本体部８Ｄａの凹凸面に沿って、一様な厚さに形成されている。
【０１０２】
吸引チューブ８Ｄにおいては、滅菌部の表面が凹凸のない平坦な面に形成されている場合に比べて、表面積が大きいから、より一層効果的に、細菌を低減することができる。
【０１０３】
＜第六の実施形態＞
次に、図２８乃至図３３参照して、第六の実施形態について説明する。第一の実施形態乃至第五の実施形態と共通する事項は説明を省略し、異なる部分を中心に説明する。
【０１０４】
第六の実施形態においては、図２８及び図２９に示すように、固定部材２Ａ及び２Ｂが吸引チューブ８に固定されている。固定部材２Ａは、吸引チューブ８における相対的に上側の部分に固定されている。固定部材２Ｂは、吸引チューブ８の下端部近傍に固定されている。本明細書において、「下端部近傍に固定されている」とは、固定部材２Ｂの下端部の位置が、吸引チューブ８の下端部から所定の距離範囲内の位置に配置されることを意味する。所定距離は、例えば、１ミリメートル（ｍｍ）以上５ミリメートル（ｍｍ）以下である。固定部材２Ａ及び２Ｂは、吸引チューブ８の貫通孔を塞がない態様において配置されている。固定部材２Ａ及び２Ｂが滅菌部として構成されている。なお、固定部材２Ｂが固定される部分は、吸引チューブ８の下端部であってもよい。固定部材２Ａ及び２Ｂを総称して、「固定部材２」と呼ぶ。
【０１０５】
図３０及び３１に示すように、固定部材２は、円筒状の部材である。固定部材２は、貫通孔Ｓ２を有する。固定部材２の周壁部２Ｇａが、滅菌部として構成されている。
【０１０６】
図３２及び図３３は、図３０の表層部２Ｇａの部分Ａ７を示す拡大概念図である。図３２は固定部材２Ａの表層部２Ｇａを示し、図３３は固定部材２Ｂの表層部２Ｇａを示す。
【０１０７】
図３２に示すように、固定部材２Ａは、細菌を低減する効果を有する金属の微粒子２８Ａが樹脂２６中に分散している。微粒子２８Ａは、樹脂２６に覆われており、固定部材２Ａの表面に露出しないように構成されている。細菌を低減する効果を有する金属は、好気性細菌を効果的に低減することができる金属であり、例えば、銅である。
【０１０８】
図３３に示すように、固定部材２Ｂは、細菌を低減する効果を有する金属の微粒子２８Ｂが樹脂２６中に分散している。微粒子２８Ｂは、樹脂２６に覆われており、固定部材２Ｂの表面に露出しないように構成されている。細菌を低減する効果を有する金属は、嫌気性細菌を効果的に低減することができる金属であり、例えば、銀である。
【０１０９】
容器１００に化粧品２００を格納した場合において、容器本体１における上側の部分は、空気と接し易いから、主に好気性細菌が問題になると想定される。これに対して、容器本体１における下方の部分は、空気と接しにくいから、主に嫌気性細菌が問題になると想定される。
【０１１０】
本実施形態において、上側に配置される固定部材２Ａには、好気性細菌を効果的に低減することができる銅の微粒子が分散され、下側に配置される固定部材２Ｂには、嫌気性細菌を効果的に低減することができる銀の微粒子が分散されている。これにより、容器１００の容器本体１における上下方向の位置に応じて、問題になることが想定される細菌を効果的に低減することができる。  
【０１１１】
＜第七の実施形態＞
次に、図３４及び３５を参照して、第七の実施形態について説明する。第六の実施形態と共通する事項は説明を省略し、異なる部分を中心に説明する。
【０１１２】
図３４及び図３５に示すように、固定部材２Ｃ及び２Ｄは、共に、樹脂に複数種類の金属が分散されて構成される。固定部材２Ｃと２Ｄとは、各金属の微粒子の含有量が異なる。固定部材２Ｃは吸引チューブ８の上側に配置され、固定部材２Ｄは吸引チューブ８の下端部近傍に配置される。
【０１１３】
固定部材２Ｃ及び２Ｄは、共に、銅の微粒子と銀の微粒子を含むが、すべての金属微粒子の含有量に対する銅の微粒子の含有量の割合Ｘｃｕと、すべての金属微粒子の含有量に対する銀の微粒子の含有量の割合Ｘａｇが異なる。
【０１１４】
図３４に示すように、固定部材２Ｃにおいては、銅の微粒子２８Ａの含有量が銀の微粒子２８Ｂの含有量よりも多い。そして、図３５に示すように、固定部材２Ｄにおいては、銀の微粒子２８Ｂの含有量が銅の微粒子２８Ａの含有量よりも多い。すなわち、固定部材２Ｃにおける割合Ｘｃｕは、固定部材２Ｄにおける割合Ｘｃｕよりも大きい。そして、固定部材２Ｄにおける割合Ｘａｇは、固定部材２Ｃにおける割合Ｘａｇよりも大きい。
【０１１５】
所定の割合Ｘｃｕ及びＸａｇを実現する方法は、例えば、樹脂の粉末に所定量の銅の微粒子２８Ａ及び銀の微粒子２８Ｂを分散させた混合粉を準備し、射出成型によって、その混合粉を溶融及び成型することによって実施する。
【０１１６】
容器本体１の特定の位置において問題となると想定される細菌の種類は、１種類とは限らない。本発明の発明者は、容器本体１の特定の位置において、問題となると想定される細菌は、複数種類であり、さらに、その特定の位置によって、相対的に多く存在する特定の種類の細菌が異なることを見出した。
【０１１７】
そして、特定の位置に存在すると想定される複数種類の細菌に応じて、それぞれの細菌を効果的に低減させるための金属の微粒子を混合して滅菌部に分散させる技術（「荷重分散」）に想到した。
【０１１８】
本実施形態において、固定部材２Ｃ及び２Ｄに対応する容器本体１の内部の位置には、、共に、好気性細菌及び嫌気性細菌が問題となり得るが、上方においては相対的に好気性細菌の問題が多く、下方には相対的に嫌気性細菌の問題が多いと想定される。そして、固定部材２Ｃは銅の微粒子の含有量が銀の微粒子の含有量よりも大きく、固定部材２Ｄは銀の微粒子の含有量が銅の微粒子の含有量よりも大きいから、容器本体１の特定の位置に存在すると想定される複数種類の細菌に応じて、それぞれの細菌を効果的に低減することができる。
【０１１９】
＜第八の実施形態＞
次に、図３６乃至４３を参照して、第八の実施形態について説明する。第七の実施形態と共通する事項は説明を省略し、異なる部分を中心に説明する。
【０１２０】
図３６に示すように、第八の実施形態の非固定部材２０Ｃ，２０Ｄ及び２０Ｅは、円筒状に形成されている。非固定部材２０Ｃ，２０Ｄ及び２０Ｅが滅菌部材である。非固定部材２０Ｃ，２０Ｄ及び２０Ｅによって、部材群を構成している。非固定部材２０Ｃ，２０Ｄ及び２０Ｅを総称して、「非固定部材２０」と呼ぶ。非固定部材２０は、液体状の化粧品２００を格納する容器本体１の内部に固定されない状態において配置される。なお、本明細書において、固定されない状態において配置される部材という意味で、「非固定部材」という用語を使用する。
【０１２１】
図３７及び３８に示すように、非固定部材２０は、貫通孔Ｓ２の周壁を構成する壁部２０Ｈａから構成される。
【０１２２】
非固定部材２０は、樹脂に複数種類の金属が分散されて構成される。非固定部材２０Ｃ，２０Ｄ及び２０Ｅにおいては、各金属の微粒子の含有量が異なる。また、非固定部材２０Ｃ，２０Ｄ及び２０Ｅにおいては、比重が異なる。
【０１２３】
複数種類の金属は、本実施形態においては銅と銀である。非固定部材２０Ｃ乃至２０Ｅは、すべて、銅の微粒子と銀の微粒子を含むが、すべての金属微粒子の含有量に対する銅の微粒子の含有量の割合Ｘｃｕと、すべての金属微粒子の含有量に対する銀の微粒子の含有量の割合Ｘａｇが異なる。
【０１２４】
図４１に示すように、非固定部材２０Ｃは、銅の微粒子の割合Ｘｃｕが銀の微粒子の割合Ｘａｇよりも大きい。また、非固定部材２０Ｃの比重は、化粧品２００の比重よりも小さい。
【０１２５】
図４２に示すように、非固定部材２０Ｄは、銅の微粒子の割合Ｘｃｕと銀の微粒子の割合Ｘａｇが実質的に同一である。また、非固定部材２０Ｄの比重は、化粧品２００の比重と実質的に等しい。
【０１２６】
図４３に示すように、非固定部材２０Ｅは、銀の微粒子の割合Ｘａｇが銅の微粒子の割合Ｘｃｕよりも大きい。また、非固定部材２０Ｅの比重は、化粧品２００の比重よりも大きい。
【０１２７】
比重の調整は、例えば、樹脂の種類によって調整する。あるいは、銅と銀以外の金属の微粒子を樹脂中に分散させることによって、比重を調整してもよい。
【０１２８】
図３９及び図４０に示すように、化粧品２００が格納された容器本体１に非固定部材２０Ｃ乃至２０Ｅが配置されると、非固定部材２０Ｃは化粧品２００の上方の表面近傍に位置し、非固定部材２０Ｄは化粧品２００の上部と底部の間に位置し、非固定部材２０Ｅは化粧品２００の底部に位置する。
【０１２９】
化粧品２００の上方の表面近傍においては、主に好気性細菌が問題になる。化粧品２００の底部においては、主に嫌気性細菌が問題になる。化粧品２００の表面近傍と底部の間においては、好気性細菌と嫌気性細菌の双方が問題になる。
【０１３０】
好気性細菌を低減に好適な金属の微粒子の含有量が大きい非固定部材２０Ｃの比重が化粧品２００の比重よりも小さいから、化粧品２００の表面近傍に位置し、効果的に好気性細菌を低減する。また、嫌気性細菌を低減に好適な金属の微粒子の含有量が大きい非固定部材２０Ｅの比重が化粧品２００の比重よりも大きいから、化粧品２００の底部に位置し、効果的に嫌気性細菌を低減する。そして、好気性細菌を低減に好適な金属の微粒子の含有量と嫌気性細菌を低減に好適な金属の含有量が実質的に等しい非固定部材２０Ｅの比重が化粧品２００の比重と実質的に同一であるから、化粧品２００の底部と表面の中間に位置し、効果的に好気性細菌と嫌気性細菌を低減する。
【０１３１】
＜第九の実施形態＞
次に、図４４及び４５を参照して、第九の実施形態について説明する。第八の実施形態と共通する事項は説明を省略し、異なる部分を中心に説明する。
【０１３２】
図４４に示すように、第九の実施形態の非固定部材２０Ｅは、半円筒状に構成されている。図４５に示すように、非固定部材２０Ｅは、中心部２０Ｅａと、外層部２０Ｅｂ１及び２０Ｅｂ２から構成される。外層部２０Ｅｂ１及び２０Ｅｂ２が、滅菌部として構成されている。すなわち、非固定部材２０Ｅの一部が滅菌部として構成されている。外層部２０Ｅｂ１と外層部２０Ｅｂ２を総称して外層部２０Ｅｂと呼ぶ。
【０１３３】
第八の実施形態と同様に、化粧品２００との関係において比重が異なり、また、銅の微粒子の含有量と銀の微粒子の含有量が異なる複数の非固定部材２０Ｅによって部材群が構成され、容器本体１に複数配置される。
【０１３４】
化粧品２００よりも比重が大きい非固定部材２０Ｅは、容器本体１の底面と線接触するように構成されている。これにより、より大きい面積から金属イオンを放出し、効果的に最近を低減することができる。
【０１３５】
＜第十の実施形態＞
次に、図４６及び４７を参照して、第十の実施形態について説明する。第八の実施形態と共通する事項は説明を省略し、異なる部分を中心に説明する。
【０１３６】
第十の実施形態における非固定部材２０Ｆは、板状部材を十字形状に組み合わせた形状に構成されている。中心部２０Ｆａと、外層部２０Ｆｂ１乃至２０Ｆｂ４から構成される。外層部２０Ｆｂ１乃至２０Ｆｂ４が、滅菌部として構成されている。すなわち、非固定部材２０Ｆの一部が滅菌部として構成されている。外層部２０Ｆｂ１乃至外層部２０Ｆｂ４を総称して外層部２０Ｆｂと呼ぶ。
【０１３７】
非固定部材２０Ｆは、四つの外層部２０Ｆｂ１乃至２０Ｆｂ４を有するから、より大きな面積で化粧品２００と接し、効果的に細菌を低減することができる。
【０１３８】
＜第十一の実施形態＞
次に、図４８乃至図５０を参照して、第十一の実施形態について説明する。第八の実施形態と共通する事項は説明を省略し、異なる部分を中心に説明する。
【０１３９】
第十一実施形態においては、図４８に示す非固定部材２０Ｇの星形、図４９に示す非固定部材２０Ｈのハート型、あるいは、図５０に示す非固定部材２０Ｉの球形のように、さまざまな形状を採用することが可能である。図４８乃至図５０に示すように、非固定部材２０Ｇ等の外層部２０ｓ及び２０ｔが、滅菌部として構成されている。滅菌部の構成は、第一の実施形態と同様である。
【０１４０】
非固定部材２０Ｇ、２０Ｈ及び２０Ｇにおいて、第八の実施例と同様に、複数種類の金属の含有量の割合及び比重が互いに異なるように構成し、部材群を構成し、容器本体１の内部に配置するようにしてもよい。
【０１４１】
なお、本発明の化粧品容器は、上記実施形態に限らず、本発明の要旨を逸脱しない範囲内において種々変更を加えることができる。例えば、各実施形態及び変型例は、技術的な矛盾を生じない限り、組み合わせることができる。
【符号の説明】
【０１４２】
１００  容器
１    容器本体
２，２Ａ，２Ｂ，２Ｃ，２Ｄ  固定部材
２ａ  本体部
２ｂ  表層部
３  軟質容器
４  ポンプ部材
６  硬質容器
８，８Ａ，８Ｂ，８Ｃ  吸引チューブ
８ａ  壁本体
８ｂ  ８ｂ１  ８ｂ２  表層部
２０，２０Ａ，２０Ｂ，２０Ｃ，２０Ｄ，２０Ｅ，２０Ｆ，２０Ｇ，２０Ｈ，２０Ｉ  非固定部材
２０ａ，２０ｉ  中心部
２０ｂ  外層部
【要約】
本発明は、液体中の細菌を低減することができる滅菌部材及び化粧品容器を提供するものである。本発明の滅菌部材は、細菌を低減する効果を有する金属の微粒子が樹脂中に分散し、微粒子は滅菌部材の表面に露出しないように構成されており、液体容器の内部の特定の位置において問題となると想定される細菌の種類に応じて、金属の種類が規定されている。【図１】
0006826749.tif 000002
【図２】
0006826749.tif 000003
【図３】
0006826749.tif 000004
【図４】
0006826749.tif 000005
【図５】
0006826749.tif 000006
【図６】
0006826749.tif 000007
【図７】
0006826749.tif 000008
【図８】
0006826749.tif 000009
【図９】
0006826749.tif 000010
【図１０】
0006826749.tif 000011
【図１１】
0006826749.tif 000012
【図１２】
0006826749.tif 000013
【図１３】
0006826749.tif 000014
【図１４】
0006826749.tif 000015
【図１５】
0006826749.tif 000016
【図１６】
0006826749.tif 000017
【図１７】
0006826749.tif 000018
【図１８】
0006826749.tif 000019
【図１９】
0006826749.tif 000020
【図２０】
0006826749.tif 000021
【図２１】
0006826749.tif 000022
【図２２】
0006826749.tif 000023
【図２３】
0006826749.tif 000024
【図２４】
0006826749.tif 000025
【図２５】
0006826749.tif 000026
【図２６】
0006826749.tif 000027
【図２７】
0006826749.tif 000028
【図２８】
0006826749.tif 000029
【図２９】
0006826749.tif 000030
【図３０】
0006826749.tif 000031
【図３１】
0006826749.tif 000032
【図３２】
0006826749.tif 000033
【図３３】
0006826749.tif 000034
【図３４】
0006826749.tif 000035
【図３５】
0006826749.tif 000036
【図３６】
0006826749.tif 000037
【図３７】
0006826749.tif 000038
【図３８】
0006826749.tif 000039
【図３９】
0006826749.tif 000040
【図４０】
0006826749.tif 000041
【図４１】
0006826749.tif 000042
【図４２】
0006826749.tif 000043
【図４３】
0006826749.tif 000044
【図４４】
0006826749.tif 000045
【図４５】
0006826749.tif 000046
【図４６】
0006826749.tif 000047
【図４７】
0006826749.tif 000048
【図４８】
0006826749.tif 000049
【図４９】
0006826749.tif 000050
【図５０】
0006826749.tif 000051